(57)【要約】【課題】  コネクタ本体の小型薄膜化が容易で、記憶媒体の挿入を確実に検出することが可能な記録媒体用コネクタを提供する。【解決手段】  挿入された記録媒体を受け入れるハウジングと、記録媒体の端子５１と電気的に接続するコンタクト部４とを備えた記録媒体用コネクタを構成するに、弾性材からなり、挿入される前記記録媒体に当接してハウジングの幅方向に拡開する拡開型検出部材３０を記録媒体の挿入方向奥部に設けるとともに、拡開状態にある拡開型検出部材３０の幅方向の端部側部位に接触する接触片部材３１を拡開型検出部材の端部側部位に対応して設ける。【選択図】        図７
2006024543.tif 000002
【特許請求の範囲】
【請求項１】
挿入された記録媒体を受け入れて支持するハウジングと、挿入された記録媒体の端子と電気的に接続するコンタクト部とを備えた記録媒体用コネクタであって、
弾性材からなり、挿入される前記記録媒体に当接して前記ハウジングの幅方向に拡開する拡開型検出部材を記録媒体の挿入方向奥部に設けるとともに、拡開状態にある前記拡開型検出部材の前記幅方向の端部側部位に接触する接触片部材を、前記幅方向における前記拡開型検出部材の端部側部位に対応して設けた記録媒体用コネクタ。
【請求項２】
前記拡開型検出部材と接触片部材との間に、前記拡開型検出部材の拡開動作もしくは拡開状態からの復帰動作に伴って前記拡開型検出部材を案内する案内部を設けた請求項１記載の記録媒体用コネクタ。
【請求項３】
前記拡開型検出部材が、前記幅方向の中央側部位が前記端部側部位より記録媒体挿入口側に突出した弾性金属部材である請求項１又は２記載の記録媒体用コネクタ。
【請求項４】
前記コンタクト部として、前記記録媒体が表向きに挿入された姿勢で前記記録媒体の端子と電気的に接続される第１コンタクト部と、前記記録媒体が裏向きに挿入された姿勢で前記記録媒体の端子と電気的に接続される第２コンタクト部とを備え、
前記記録媒体と、一方の前記コンタクト部との間における電気的接続が確立された姿勢において、他方の前記コンタクト部が、前記記録媒体を前記ハウジングとの間で固定支持する請求項１〜３の何れか１項記載の記録媒体用コネクタ。
【請求項５】
前記コンタクト部として、前記記録媒体が表向きに挿入された姿勢で前記記録媒体の端子と電気的に接続される第１コンタクト部と、前記記録媒体が裏向きに挿入された姿勢で前記記録媒体の端子と電気的に接続される第２コンタクト部とを備え、
前記第１、第２コンタクト部が、共に導電性弾性材料から構成され、
前記第１コンタクト部が前記記録媒体の端子に当接する第１当接部を、前記第２コンタクト部が前記記録媒体の端子に当接する第２当接部を備えるとともに、前記第１当接部と前記第２当接部とが、前記ハウジングの厚み方向中心に対して振り分け配置されてなり、
一方の前記当接部が前記記録媒体の端子に当接する姿勢において、当該当接部が受ける変形量が、他方の前記当接部が前記記録媒体の本体表面に当接して受ける変形量より小さく設定されている請求項１〜３の何れか１項記載の記録媒体用コネクタ。
【請求項６】
請求項１〜５のいずれか１項に記載の記録媒体用コネクタを使用して、前記記録媒体の挿入状態を検出するに、
前記接触片部材と前記拡開型検出部材との導通が確保された場合に前記記録媒体が挿入状態にあり、導通状態にない場合に前記記録媒体が非挿入状態にあると判断する記録媒体の挿入確認方法。
【請求項７】
請求項１〜６のいずれか１項記載の記録媒体用コネクタを使用して、前記記録媒体の挿入状態を検出するに、
前記記録媒体が前記記録媒体用コネクタ内において位置固定されるロック状態と、前記位置固定が解除された非ロック状態を有し、
前記接触片部材と前記拡開型検出部材との導通が確保された場合に前記記録媒体が前記ロック状態にあり、導通状態にない場合に前記記録媒体が非ロック状態にあると判断する記録媒体の挿入確認方法。
【発明の詳細な説明】
【技術分野】
【０００１】
本発明は、挿入された記録媒体を受け入れるハウジングと、挿入された記録媒体の端子と電気的に接続するコンタクト部とを備えた記録媒体用コネクタに関するとともに、記録媒体の挿入確認方法に関する。
【背景技術】
【０００２】
記録媒体用コネクタに付随されているカードを検出するスイッチ構造として、弾性体による片持ち梁構造が多く使用されている（特許文献１、特許文献２、特許文献３）。
【０００３】
特許文献１に記載のスイッチ構造では、コネクタの奥部に第１及び第２のコンタクト３１、３２を設け、当該文献図５に示される動作構造でカードの挿入状態を検出する。この文献に記載の技術では、両コンタクト共に片持ち変形が起こる。
【０００４】
特許文献２に記載のスイッチ部の場合も、当該文献記載の構成で接点板４は片持ち変形をする。さらに、このスイッチ部はカード用コネクタ装置の側部に張り出す状態で設けられている。
【０００５】
特許文献３に記載の検出スイッチ１４の場合も、片持ち変形をする機構により検出を実行するとともに、この検出スイッチ１４はＩＣカード用コネクタの奥部に設けられている。
【０００６】
【特許文献１】特開２００２−２５２０４５号公報（図５）
【特許文献２】特開２００１−３３８７２９号公報（図４）
【特許文献３】特開平１１−９７１１０号公報
【発明の開示】
【発明が解決しようとする課題】
【０００７】
しかしながら、片持ち構造のまま、検出の確実性を図るためにカードの挿入検出を行おうとすると、スイッチを構成する弾性部材の変形により発生する反力（荷重）を大きくする、変位量を大きく取る、弾性材の材料厚を大きくする、弾性部の梁の実質長さを短くする等の対策が必要となる。
即ち、検出の確実性を確保するためには梁の形状を大きくする変更が必要であり、昨今要求される記録媒体用コネクタの小型薄膜化の要請にそぐわない。
一方、弾性変形部を長く取る程、弾性部先端が変形により傾くために変形等に伴う接点部の位置確保が難しく、検出が不安定となり誤動作が発生する確率が高くなる。
【０００８】
さらに、検出部をコネクタの側面もしくは下面に配置した場合、コネクタ自体の小型薄膜化の要請に答えられない。
【０００９】
カードコネクタにおいて、耐振動、衝撃性を向上する方法として、コンタクトの先端部を複数に分割することにより、接点部を増やし共振周波数を変えることにより、電気的切断を防止している。（カード電極からコンタクトが外れないようにしている。）
しかし、この方法は単純に１つのコンタクトの先端部を複数に分割しているだけであるため、１本当たりのコンタクト接点圧は、先端が分割されてない（一体物の）場合とほぼ同様である。従って、日常的に発生する可能性の高い突発的な衝撃荷重（例  落下）に対応することが困難である。（ある程度の振動・衝撃荷重までしか対応することができない）
【００１０】
本発明の目的は、従来技術の欠点に鑑みコネクタ本体の小型薄膜化が容易で、記憶媒体の挿入を確実に検出することが可能な記録媒体用コネクタを提供するとともに、この種の構成を採用する記録媒体用コネクタにより記録媒体の挿入状態を確実に検出することができる挿入確認方法を得ることにある。
【課題を解決するための手段】
【００１１】
上記目的を達成するために、挿入された記録媒体を受け入れて支持するハウジングと、挿入された記録媒体の端子と電気的に接続するコンタクト部とを備えた記録媒体用コネクタの特徴構成は、
弾性材からなり、挿入される前記記録媒体に当接して前記ハウジングの幅方向に拡開する拡開型検出部材を記録媒体の挿入方向奥部に設けるとともに、拡開状態にある前記拡開型検出部材の前記幅方向の端部側部位に接触する接触片部材を、前記幅方向における前記拡開型検出部材の端部側部位に対応して設けたことにある。
【００１２】
本願に係る記録媒体用コネクタには、拡開型検出部材と、この拡開型検出部位の拡開状態において接触する接触片部材を設ける。そして、例えば、両部材間における導通が確保される状態で記録媒体の挿入状態を、非導通状態で非挿入状態であると判断するようにする。当然、挿入と非挿入状態の区分けと、導通、非導通状態を逆の関係としてもよい。
【００１３】
この構成の検出構造にあっては、拡開型検出部材の記憶媒体の挿入操作に伴って発生する変形が、ハウジングの奥部において、その幅方向で起こるため、記録媒体用コネクタの側部あるいは厚み方向への張り出しが必要とされない。結果、小型薄膜化の要請に答えることができる。
【００１４】
さらに、両端支持に伴って発生する拡開変形と、片持ち変形とを比較した場合、記録媒体の当接による拡開型検出部材の拡開変形、拡開状態からの原姿勢への復帰等の動作において、その動作が２支点構造となるため、確実な検出動作を実行することができる。
【００１５】
さらに、両持ち構造を採用する場合は、記録媒体が挿入された場合に、媒体が最初に当接する接点位置、その状態で働く初期張力を容易に調整することが可能となり、挿入検出距離ならびに検出時の接点圧を容易に調整・設定することができる。
【００１６】
また、この構造では、記憶媒体の挿入に伴って発生する拡開型検出部材で発生しうる反力（荷重）を片持ちばね構造より変形量に対して容易に大きくすることができるとともに、記憶媒体の挿入方向に対して、その逆方向に反力（荷重）が働くように構成することができ、記憶媒体検出のみならず、記憶媒体排出時におけるその排出補助機構としても働くこととなる。
【００１７】
上記構成において、前記拡開型検出部材と接触片部材との間に、前記拡開型検出部材の拡開動作もしくは拡開状態からの復帰動作に伴って前記拡開型検出部材を案内する案内部を設けることが好ましい。
案内部を備えることで、拡開型検出部材が記録媒体の挿入に伴って拡開した場合、あるいは、記録媒体の排出操作により元の状態に戻った場合に、その動作・変形方向を案内部に沿った安定したものとできる。
この構成は、両部材における接点のワイピング効果を得ることができる。
【００１８】
さらに、前記拡開型検出部材が前記幅方向の中央側部位において、前記端部側部位より記録媒体挿入口側に突出した弾性金属部材であることが好ましい。
この構成の場合は、拡開型検出部材が、概略、平面視「く」の字形状部材となるため、弾性金属部材の変形を記録媒体の挿入・排出操作に伴って安定して発生することが可能であり、確実な検出が可能となる。
【００１９】
さらに、上記構成において、前記コンタクト部として、前記記録媒体が表向きに挿入された姿勢で前記記録媒体の端子と電気的に接続される第１コンタクト部と、前記記録媒体が裏向きに挿入された姿勢で前記記録媒体の端子と電気的に接続される第２コンタクト部とを備え、
前記記録媒体と、一方の前記コンタクト部との間における電気的接続が確立された姿勢において、他方の前記コンタクト部が、前記記録媒体を前記ハウジングとの間で固定支持する構造を採用することが、好ましい。
【００２０】
この構成にあっては、記録媒体の挿入姿勢（表向け姿勢あるいは裏向け姿勢）に係らず、記録媒体との接続を確保できる。
さらに、一方のコンタクト部と記録媒体に設けられた端子との間で、電気的接続を確保した状態において他方のコンタクト部が記録媒体の固定支持の役割を果たすため、記録媒体の挿入時において耐振動性並びに耐襲撃性を向上させることができる。
【００２１】
この種の固定支持構造を実現するには、
前記第１、第２コンタクト部が、共に導電性弾性材料から構成され、
前記第１コンタクト部が前記記録媒体の端子に当接する第１当接部を、前記第２コンタクト部が前記記録媒体の端子に当接する第２当接部を備えるとともに、前記第１当接部と前記第２当接部とが、前記ハウジングの厚み方向中心に対して振り分け配置されてなり、
一方の当接部が前記記録媒体の端子に当接する姿勢において、当該当接部が受ける変形量が、他方の当接部位が前記記録媒体の本体表面に当接して受ける変形量より小さく設定される構造とできる。
【００２２】
この構成を採用すると、記録媒体が記録媒体用コネクタに挿入された姿勢において、導電性弾性材料からなる第１コンタクト部及び第２コンタクト部が共に変形を受け、両コンタクト部が共にハウジングの厚み方向中心に向かう方向の弾性反力を発生する。
【００２３】
この弾性反力は、その変形量に依存することとなるが、上述のように電気的接続がなされていない他方の当接部側（他方の当接部が属するコンタクト部側）に発生する反力が、一方の当接部側（電気的接続が確立されている一方の当接部が属するコンタクト部側）に発生する反力より勝ることとなり、その結果、記録媒体を強固に電気的接続が確立されている当接部側のコンタクト部側に付勢することとなり、記録媒体とハウジングとの間における固定支持が確立される。結果、記録媒体の挿入時において（電気的接続が確立されているコンタクト部側の接点圧が大きくなるため）耐振動性並びに耐衝撃性を向上させることができる。
【００２４】
以上説明してきた記録媒体用コネクタを使用して、前記記録媒体の挿入状態を検出する方法としては、
前記接触片部材と前記拡開型検出部材との導通が確保された場合に前記記録媒体が挿入状態にあり、導通状態にない場合に前記記録媒体が非挿入状態にあると判断することが好ましい。
この構成にあっては、拡開型検出部材の幅方向端部に接触片部材を配する構成とすることが可能であり、両端支持構成の利点を有効に利用できる。
【００２５】
さらに、記録媒体のロック状態を検出するのに、本願構成は有効に利用できる。
即ち、以上説明してきた記録媒体用コネクタを使用して、前記記録媒体の挿入状態を検出する方法として、
前記記録媒体が前記記録媒体用コネクタ内において位置固定されるロック状態と、前記位置固定が解除された非ロック状態とを有する場合に、
前記接触片部材と前記拡開型検出部材との導通が確保された場合に前記記録媒体が前記ロック状態にあり、導通状態にない場合に前記記録媒体が非ロック状態にあると判断する構成とするのである。
【００２６】
本願に係るような記録媒体用コネクタは、その動作形態として、通常、記録媒体用コネクタ内に記録媒体が挿入され、位置固定されるロック状態と、位置固定が解除された非ロック状態を取るように構成されている。
そして、ロック状態と非ロック状態にあっては、記録媒体用コネクタと記録媒体との相対位置関係が異なり、本願構成にあっては、拡開型検出部材の幅方向の端部側位置が変化する。
【００２７】
従って、接触型のスイッチとして働く、拡開型検出部材と接触片部材の前記幅方向の位置関係を適切に調節することにより（換言すると、両部材の接触が始まる相対離間距離を調節することで）、この接触型のスイッチのＯＮ／ＯＦＦのタイミングを変化させることができる。
【００２８】
従って、ロック状態が実現して初めて、両部材が接触し導通が起こる構成とすることで、ロック状態でのみ導通し、非ロック状態では導通しないように構成できる。このようにすると、記録媒体のロック状態のみを確実に検知できる。
【００２９】
また、この構成にあっては、記録媒体のエジェクト状態において、導通しない構成とすることで、ロック状態以外の状態をロック状態に対して識別できる。
【００３０】
上下にコンタクトを配置せず、片方のみにコンタクトを配置した場合は、必ず、コンタクトの変位により発生する反力がカード電極を押し上げる（押し下げる）ため、そのカード電極を押し上げた（押し下げた）分だけ、コンタクトの変位量が小さくなるため、コンタクト接点圧が小さくなる。
しかし、本構造のようにカードの電極部に対応するコンタクトをコネクタの上下に各々設けたことにより、カード挿入時において、カード電極面に該当しない方のコンタクトが、該当するコンタクトより大きく変位するため、必ずカード自体はカード電極面に該当するコンタクトの方に押し下げられる（押し上げられる）。
【００３１】
従って、カード電極に該当するコンタクトには、「自分自身の変位量」に「カード電極面に該当しないコンタクトにより押し下げられたカードの変位量」が加算されることにより、接点圧が大きくなる。
よって、一方（片方）のみにコンタクトを設けた場合と比較して、コンタクト接点圧が大きくなり、接触安定性が向上する。
【００３２】
また、上下のコンタクトを設けてあるため、一方のみにコンタクトを設けてある場合に比較して２倍のカード保持力が得られるため、より大きな振動・衝撃荷重に対応することでき、コネクタ自体の電気的切断性の防止に優れる。
【発明を実施するための最良の形態】
【００３３】
本願に係るカードコネクタ１の実施例を、以下図面に基づいて説明する。
図１は、本願に係るカードコネクタ１（記録媒体用コネクタの一例）とメモリーカード５０（記録媒体の一例）を示す斜視図であり、図２はカードコネクタ１の分解斜視図であり、図３はカードコネクタ１のボディ２に取り付けられた状態の各部品を示す斜視図である。
【００３４】
図６は、メモリーカード５０（表向き）が初期位置（イジェクト位置）にある時の平面図で、図７はメモリーカード５０（表向き）に押し込み操作を加えた時の作用を示す平面図である。同図中（イ）は一度目の押し込み操作時の状態を、（ロ）は二度目の押し込み操作時の状態に対応している。
図１１は、本願において重要な役割を果たすハートカム１０ｅの構成及び作用を示す説明図である。
【００３５】
〔メモリーカード〕
図１には、説明のための便宜上、表向き姿勢に配置したメモリーカード５０（図の左側）と、裏向き姿勢に配置したメモリーカード５０（図の右側）とが共に示されている。
【００３６】
メモリーカード５０の裏面の先端側には１１個の端子５１が設けられている。また、メモリーカード５０の外形輪郭を表面側から見ると、その側の左側の側部は台形状に切り欠かれており、その結果、右側の側面は先端の端面５０ａに対して直角に延びた一本の直線状辺５０ｂからなるが、左側の側面は、端面５０ａに対して直角に延びた先端側の第１直線状辺５０ｃ、第１直線状辺５０ｃから斜め後方に延びた第２直線状辺５０ｄ、及び、第２直線状辺５０ｄから端面５０ａに対して直角に延びた第３直線状辺５０ｅからなる。
【００３７】
そして、メモリーカード５０の表面側にはその左右の側面に、一対の係止凹部５２ａ，５２ｂ（被係止部の一例）と、一対の被接当部５３ａ，５３ｂが設けられている。
【００３８】
一対の係止凹部５２ａ，５２ｂは、それぞれ右側の直線状辺５０ｂと左側の第３直線状辺５０ｅとに位置し、先端の端面５０ａからは等しい距離に位置する。
【００３９】
しかし、一対の被接当部５３ａ，５３ｂについては、前述したように左側の側部が台形状に切り欠かれているために、メモリーカード５０を表面側から見た時、左側の第２被接当部５３ｂは右側の第１被接当部５３ａに比して数ｍｍだけメモリーカード５０の基端側に変位して配置されている。
【００４０】
〔カードコネクタ〕
カードコネクタ１は、図２に示すように、合成樹脂製のボディ２と、ボディ２に対して連結された金属製のケース３とを有する。ボディ２とケース３とは、挿入されたメモリーカード５０を受け入れて支持するハウジング１ａを構成している。ボディ２の後端側には、挿入されたメモリーカード５０の端子５１と電気的に接続するコンタクト部４，５が設けられている。
【００４１】
〔本願に係るカードコネクタの２つの特徴〕
１  第一の特徴
このカードコネクタ１の第一の特徴は、カードコネクタ１の挿入検出機構にあり、コネクタ奥部に設けられた概略「く」の字型の拡開型検出部材３０と、これに対応する接触片部材３１とを備えた構成が採用されている。
【００４２】
後述するように、この拡開型検出部材３０は、メモリーカード５０の挿入操作に伴って、その頭部がメモリーカード先端に当接して拡開変形して、拡開型検出部材３０の幅方向一方端が接触片部材３１と電気的に導通して、メモリーカード５０の挿入を検出できる。
【００４３】
２  第二の特徴
このカードコネクタ１の第二の特徴は、ハウジング１ａが、メモリーカード５０を端子５１が下向きの表向き姿勢と端子５１が上向きの裏向き姿勢とのいずれで挿入しても、これを受け入れて支持可能である点にある。
【００４４】
３  それぞれの特徴の詳細
上記の第一の特徴、第二の特徴の順に、その構成・作用を説明する。
３−１  第一の特徴に係る構成
この特徴を成す部材は、カードコネクタ１内に装置される本願に言う拡開型検出部材３０と、この拡開型検出部材３０に対して対を成す接触片部材３１である。
図２、３に示すように前記拡開型検出部材３０は、カードコネクタ１の奥部（メモリーカード５０の挿入方向の奥部）に配設されており、この部材は、コネクタ幅方向の中央側部位３０ａ（図示する例においてはほぼ中央）において、両端部側部位（図示する例においては両端部３０ｂ）より記録媒体挿入口側である開口側に突出した形状である「く」の字型形状とされる弾性金属部材である。
この部材３０が、弾性金属材料の「く」の字型部材として形成されることで、図６，７に示すように、挿入されるメモリーカード５０の先端部位に当接してハウジングの幅方向に拡開する。一方、メモリーカード５０が取り出された場合には、その待機姿勢である「く」の字型に復帰する。
【００４５】
前記接触片部材３１は、前記拡開型検出部材３０よりも実質奥側（実際はカードコネクタの後端）に備えられている。この拡開型検出部材３０がメモリーカード５０によって奥側に押し付け拡開された状態で、接触片部材３１が拡開型検出部材３０の幅方向の端部側部位３０ｂに接触することで、拡開型検出部材３０と接触片部材３１間との導通が確保される。
【００４６】
さらに、前記拡開型検出部材３０の端部側部位３０ｂには、図６に示すように、接触片部材３１の幅方向の内側端に開口する切り欠き３０ｃを設けるとともに、前記接触片部材３１に、前記切り欠き３０ｃに嵌り込む嵌込部３１ｃを設けている。
これら切り欠き３０ｃと嵌込部３１ｃとで、拡開型検出部材３０をその拡開動作、あるいはその拡開状態からの「く」の字形状への復帰動作に当たって案内する案内部Ｇが構成されている。
【００４７】
３−２  第一の特徴に係る作用
上述のように、図６はメモリーカード５０（表向き）が初期位置（イジェクト位置）にある時の平面図で、図７はメモリーカード５０（表向き）に押し込み操作を加えた時の作用を示す平面図である。
【００４８】
図７において（イ）は一度目の押し込み操作を終えた状態を示しており、（ロ）は挿入解除に向かう二度目の押し込み操作の開始時の状態を示している。
【００４９】
第一の特徴構成に関する作用は、図６に示す状態と図７（イ）に示す状態との比較において、主な機能を説明できる。
即ち、図６に示すメモリーカード５０が初期位置にある時には、前記拡開型検出部材３０は、メモリーカード５０からの押圧力を受けていないために、その自然状態である「く」の字状を保っており、この拡開型検出部材３０と接触片部材３１との導通が確保されない。
【００５０】
この状態から、図７（イ）に示すようにメモリーカード５０が押し込み操作されて、後述するように位置固定された状態にあっては、前記拡開型検出部材３０は、メモリーカード５０からの押圧力を受け、その拡開状態となり、拡開型検出部材３０と接触片部材３１との導通が確保される。結果、拡開型検出部材３０と接触片部材３１との導通を検出することで、メモリーカード５０の挿入状態を検出できる。
そして、メモリーカード５０の挿入操作においては、案内部Ｇが案内として働き、拡開型検出部材３０と接触片部材３１との摺動位置関係を良好に維持できる。
【００５１】
さらに、図７（ロ）に示すように再度、メモリーカード５０が押し込まれた場合、後述するようにやがてメモリーカード５０は挿入解除されるのであるが、この場合、拡開型検出部材３０と接触片部材３１との接触が断たれ、非導通状態となり，初期状態に復帰する。
【００５２】
従って、このカードコネクタ１にあっては、記録媒体であるメモリーカード５０の挿入状態を検出するのに、接触片部材３１と拡開型検出部材３０との導通が確保された場合に、記録媒体が挿入状態にあり、導通状態にない場合に記録媒体が非挿入状態にあると判断する。この判断回路（図外）は、カードコネクタ１が装備される機器側に設けてもよいし、コネクタ自体にこれを設けてもよい。
【００５３】
３−３  第二の特徴に係る構成
この第二の特徴を実現すべく、本願に係るカードコネクタ１にあっては、図２に示すように、コンタクト部として、メモリーカード５０が表向き（ノーマル）姿勢で挿入された時に端子５１と接続する第１コンタクト部４と、メモリーカード５０が裏向き（リバース）姿勢で挿入された時に端子５１と接続する第２コンタクト部５とを別々に備えている。
図１０は、メモリーカード５０を挿入した状態における電気的接続の成立状態を示しており、図１０（イ）にメモリーカード５０を表向き姿勢（図１左側に示す姿勢）で挿入した状態での端子５１と第１コンタクト部４との接続状態を、図１０（ロ）に、裏向き姿勢（図１右側に示す姿勢）で挿入した状態での端子５１と第２コンタクト部５との接続状態を示した。
【００５４】
図２に示すように、ボディ２の後端側には、第１コンタクト部４を構成する１１個のノーマルコンタクト４ａと、第２コンタクト部５を構成する１１個のリバースコンタクト５ａとが押し嵌めによって取り付けられる。さらに、リバースコンタクト５ａはボディ２の後端に出力側接点５ｃが突出されており、ノーマルコンタクト４ａはボディ２の中間縁から出力側接点４ｃが突出されている。
【００５５】
また、図２と図３に示すように、ボディ２の左右の側面付近には、後述するスライダ１０，１１を摺動自在に受け入れるスライド溝２ａが形成されている。さらに、ボディ２の後端の左右端部付近には、このボディ２に立設したバネ支持部７ａ，７ｂが備えられている。このバネ支持部７ａ，７ｂは夫々、左右のスライド溝２ａ内に対して延出している。
【００５６】
左右のスライド溝２ａ内には、スライダ１０，１１がカードコネクタ１の前後方向に摺動自在に装着されている。右側のスライダ１０と左側のスライダ１１は、互いに異なる形状を有するが、後述する接当部１０ｂ，１１ｂの配置レベルが異なる点を除けば、カードコネクタ１の左右の中心を基準に左右対称の形状を呈している。
【００５７】
スライダ１０，１１は、合成樹脂の一体成形で形成されており、スライド溝２ａ内を前後方向に摺動移動するスライダ本体１０ａ，１１ａを有する。
【００５８】
スライダ本体１０ａ，１１ａにおける前後方向の中心付近には、内側に向いて設けられた接当部１０ｂ，１１ｂが設けてあり、接当部１０ｂ，１１ｂの近傍から前端向きに延びた弾性片１０ｃ，１１ｃの先端には爪部１０ｄ，１１ｄが形成されている。さらに、先端側（図２，３における図上上側には）、図６に示すように、止め部１０ｚ、１１ｚがそれぞれ設けられている。
【００５９】
接当部１０ｂ，１１ｂは、メモリーカード５０の第１と第２被接当部５３ａ，５３ｂに対応して設けられており、爪部１０ｄ，１１ｄは、メモリーカード５０の係止凹部５２ａ，５２ｂに対応して設けられている。
【００６０】
また、スライダ１０，１１には、ハートカム１０ｅ，１１ｅと呼ばれる上向きのカム溝が形成されている。ハートカム１０ｅ，１１ｅの形状と機能の詳細については、図１１等を参照して後述する。
【００６１】
ボディ２の各スライド溝２ａの前端付近には、スライダ１０，１１の移動方向に沿って延びたフックピン１３の下向きの一端１３ａがほぼ垂直な軸芯回りで枢支連結されている（図２、３、１１を参照のこと）。
【００６２】
フックピン１３のやはり下向きの他端は、ハートカム１０ｅ，１１ｅのカム溝に従って左右に移動する倣い軸１３ｂの役目を果たしており、ケース３に板金加工で形成されたバネ板部３ｇによって、ハートカム１０ｅ，１１ｅを構成するカム溝の内のいずれかの箇所に押付けられる。
【００６３】
そして、各バネ支持部７ａ，７ｂにはコイルバネ１５（付勢手段の一例）が外嵌支持されており、このコイルバネ１５は、スライダ１０，１１の端面１０ｆ，１１ｆをバネ支持部７ａ，７ｂの基端部（ハウジングの先端）から離間させる方向の付勢力を発揮している。
【００６４】
スライダ１０，１１は、メモリーカード５０を装着する際の押し込み操作に基づいて、スライド溝２ａの前端と接当した位置（図３に示す状態）と、スライド溝２ａの後端と近接した位置（図７などに示す状態）との間でスライド溝２ａ内を摺動移動する。尚、スライダ１０，１１のバネ支持部７ａ，７ｂと対向する端面１０ｆ，１１ｆには、バネ支持部７ａ，７ｂの先端とコイルバネ１５の一部とを受け入れる孔（不図示）が形成されている。
【００６５】
ハートカム１０ｅ，１１ｅは、互いに異なる形状を有するが、カードコネクタ１の左右の中心を基準に左右対称の形状を呈しているので、右側のスライダ１０のハートカム１０ｅについてのみ説明する。
【００６６】
図１１に示すように、ハートカム１０ｅは、上方に突出した突起部２０の周囲にハート形状を呈するように形成された一連のカム溝２１を有する。カム溝は、メモリーカード５０が挿入されていない時、すなわち、スライダ１０がスライド溝２ａの前端の初期位置（後述するイジェクト位置と一致する）にある時にフックピン１３の倣い軸１３ｂが位置する待機レーン２１ａと、ユーザーによるメモリーカード５０の一度目の押し込み操作に応じて倣い軸１３ｂを待機レーン２１ａから待機レーン２１ａと反対側の第１死点Ｓ１まで案内する挿入レーン２１ｂと、ユーザーがメモリーカード５０の一度目の押し込み力を緩めた時に倣い軸１３ｂを第１死点Ｓ１から突起部２０の一端に凹部状に形成されたロック凹部Ｓ２（ロック機構の一例）まで案内するロックレーン２１ｃと、ユーザーによるメモリーカード５０の二度目の押し込み操作に応じて倣い軸１３ｂをロック凹部Ｓ２から待機レーン２１ａと反対側の第２死点Ｓ３まで案内する離脱レーン２１ｄと、ユーザーがメモリーカード５０の二度目の押し込み力を緩めた時に倣い軸１３ｂを第２死点Ｓ３から待機レーン２１ａへと復帰させるイジェクトレーン２１ｅとからなる。
【００６７】
尚、挿入レーン２１ｂとイジェクトレーン２１ｅとの間には、一度目の押し込み操作に応じて倣い軸１３ｂがイジェクトレーン２１ｅに進入するのを阻止する縦壁（図１１において紙面表裏方向に伸びる壁、以下縦壁について同じ）ｗ１が形成されており、挿入レーン２１ｂとロックレーン２１ｃとの間には、ユーザーがメモリーカード５０の一度目の押し込み力を緩めた時に倣い軸１３ｂが挿入レーン２１ｂに戻ることを阻止する縦壁ｗ２が形成されており、ロックレーン２１ｃと離脱レーン２１ｄとの間には、ユーザーによるメモリーカード５０の二度目の押し込み操作に際して倣い軸１３ｂが第１死点Ｓ１に戻ることを阻止する縦壁ｗ３が形成されており、離脱レーン２１ｄとイジェクトレーン２１ｅとの間には、ユーザーがメモリーカード５０の二度目の押し込み力を緩めた時に倣い軸１３ｂが離脱レーン２１ｄに戻ることを阻止する縦壁ｗ４が形成されている。
【００６８】
ハートカム１０ｅ，１１ｅとフックピン１３とコイルバネ１５とは、一度目のメモリーカード５０の押し込み操作に基づいてメモリーカード５０を端子５１とコンタクト部４（または５）とが接続された挿入状態にロックし、二度目のメモリーカード５０の押し込み操作に基づいてメモリーカード５０を取り出し可能な排出状態まで排出するロック／排出機構を構成している。
【００６９】
３−４  第二の特徴の作用
３−４−１
（表向き挿入時の作用）
メモリーカード５０を挿入する前の状態では、外力が何も作用していないので、左右のスライダ１０，１１はいずれもスライド溝２ａの前端の初期位置（イジェクト位置）にあり、フックピン１３の倣い軸１３ｂは待機レーン２１ａに位置する。
【００７０】
次に、図６に示すように、メモリーカード５０を表向きにした状態でカードコネクタ１のハウジング１ａ内に挿入すると、先ず、左右のスライダ１０，１１の弾性片１０ｃ，１１ｃの外向きの弾性変形を経て、右側の弾性片１０ｃの爪部１０ｄがメモリーカード５０の右の係止凹部５２ａ内に係入し、同時に、左側の弾性片１１ｃの爪部１１ｄがメモリーカード５０の左の係止凹部５２ｂ内に係入する（初期状態）。この状態では、左右のスライダ１０，１１はいずれも未だスライド溝２ａの前端の初期位置にある。
【００７１】
この状態からユーザーがメモリーカード５０に対して一度目の押し込み操作を行うと、図６からも理解されるように、メモリーカード５０の先端５０ａが右側のスライダ１０の止め部１０ｚと接当することで、スライダ１０がコイルバネ１５の付勢力に抗してスライド溝２ａ内で押し込み操作され、同時に、右側のスライダ１０のフックピン１３の倣い軸１３ｂは待機レーン２１ａから挿入レーン２１ｂに進入する。
【００７２】
メモリーカード５０が最も奥まで押し込まれ、ハウジング１ａの内面所定位置に到達すると、フックピン１３の倣い軸１３ｂは第１死点Ｓ１に案内される。
【００７３】
ユーザーがメモリーカード５０の一度目の押し込み力を緩めると、図７（イ）に示すように、コイルバネ１５の付勢力によってメモリーカード５０はスライダ１０と共に僅かにカードコネクタ１の入口側に押し戻され、同時に、スライダ１０のフックピン１３の倣い軸１３ｂはコイルバネ１５の付勢力によってロック凹部Ｓ２に押付けられて同箇所にロックされ（この時、スライダ１０もロック位置にある）、メモリーカード５０は、図１０（イ）に示すように、メモリーカード５０の下面に位置する端子５１が第１コンタクト部４と電気的に接続した挿入状態にロックされる（第２コンタクト部５は使用されない）。
【００７４】
尚、メモリーカード５０の一度目の押し込み操作に際して、左側のフックピン１３の倣い軸１３ｂは、スライダ１１のハートカム１１ｅの挿入レーン２１ｂには進入しても、第１死点Ｓ１には到達しないために、ロック凹部Ｓ２にも進まず、ユーザーがメモリーカード５０の一度目の押し込み力を緩めると、そのまま挿入レーン２１ｂ上に保持される。
【００７５】
すなわち、一度目の押し込み操作に基づいて、左側のスライダ１１はロックされない。また、メモリーカード５０の一度目の押し込み操作に際して、左側のスライダ１１はこの変位量と同じ長さだけメモリーカード５０に対してカードコネクタ１の前端側に「ずれ」を起こすため、図７（イ）に示されるように、左側の爪部１１ｄはメモリーカード５０の係止凹部５２ｂから抜け出している。
【００７６】
次に、ユーザーがメモリーカード５０に対して二度目の押し込み操作を行うと、図７（ロ）に示すように、右側のスライダ１０のフックピン１３の倣い軸１３ｂがロック凹部Ｓ２を抜け出して第２死点Ｓ３に達する。
【００７７】
そして、二度目の押し込み力を緩めると、倣い軸１３ｂは第２死点Ｓ３からイジェクトレーン２１ｅに進入し、最終的に待機レーン２１ａに戻り、これと殆ど同時に、左側のスライダ１１のフックピン１３の倣い軸１３ｂは、挿入レーン２１ｂ上をそのまま待機レーン２１ａまで戻る。これに応じて、左右のスライダ１０，１１は各コイルバネ１５の付勢力によってイジェクト位置（初期位置）まで真っ直ぐに押出される。
【００７８】
この左側のスライダ１１のイジェクト位置への復帰の最終過程で、左側の爪部１１ｄもメモリーカード５０の係止凹部５２ｂに再び係入するので、メモリーカード５０は左右のスライダ１０，１１の爪部１０ｄ，１１ｄによって左右均等に係止された状態で、ユーザーが指で取り出し可能な排出状態まで排出され、図６の状態に戻る。
【００７９】
３−４−２
（裏向き挿入時の作用）
メモリーカード５０を裏向きで挿入する際の作用は、一度目の押し込み操作によってメモリーカード５０の端子５１がハウジング１ａ内の上方に設けられた第２コンタクト部５と電気的に接続した挿入状態にロックされる点と、一度目の押し込み操作に基づいて、左側のスライダ１１がロックされ、右側のスライダ１０はロックされない点とを除けば、前述した表向きで挿入する際の作用と基本的に同じである。
【００８０】
すなわち、図８に示すように、メモリーカード５０を裏向きにした状態でカードコネクタ１のハウジング１ａ内に挿入すると、先ず、左右のスライダ１０，１１の弾性片１０ｃ，１１ｃの外向きの弾性変形を経て、右側の弾性片１０ｃの爪部１０ｄがメモリーカード５０の右の係止凹部５２ｂ内に係入し、左側の弾性片１１ｃの爪部１１ｄがメモリーカード５０の左の係止凹部５２ａ内に係入する（初期状態）。この状態では、左右のスライダ１０，１１は未だいずれもスライド溝２ａの前端の初期位置（イジェクト位置）にある。
【００８１】
この状態からユーザーがメモリーカード５０に対して一度目の押し込み操作を行うと、図９からも理解されるように、メモリーカード５０の先端５０ａが左側のスライダ１１の止め部１１ｚと接当し、スライダ１１がコイルバネ１５の付勢力に抗してスライド溝２ａ内で押し込み操作され、同時に、スライダ１１のフックピン１３の倣い軸１３ｂは待機レーン２１ａから挿入レーン２１ｂに進入する。
【００８２】
メモリーカード５０が最も奥まで押し込まれ、ハウジング１ａの内面所定位置に到達すると、フックピン１３の倣い軸１３ｂは第１死点Ｓ１に案内される。
【００８３】
ユーザーがメモリーカード５０の一度目の押し込み力を緩めると、図９（イ）に示すように、コイルバネ１５の付勢力によってメモリーカード５０はスライダ１１と共に僅かにカードコネクタ１の前端側に押し戻され、同時に、スライダ１１のフックピン１３の倣い軸１３ｂはコイルバネ１５の付勢力によってロック凹部Ｓ２に押付けられて同箇所にロックされ（この時、スライダ１１もロック位置にある）、メモリーカード５０は、図１０（ロ）に示すように、メモリーカード５０の上面に位置する端子５１が第２コンタクト部５と電気的に接続した挿入状態にロックされる（第１コンタクト部４は使用されない）。
【００８４】
尚、メモリーカード５０の一度目の押し込み操作に際して、右側のフックピン１３の倣い軸１３ｂは、スライダ１０のハートカム１１ｅの挿入レーン２１ｂには進入しても、第１死点Ｓ１には到達しないために、ロック凹部Ｓ２にも進まず、ユーザーがメモリーカード５０の一度目の押し込み力を緩めると、そのまま挿入レーン２１ｂ上に保持される。
【００８５】
すなわち、表向き挿入時と異なり、裏向き挿入時には、一度目の押し込み操作に基づいて、右側のスライダ１０はロックされない。また、メモリーカード５０の一度目の押し込み操作に際して、右側のスライダ１０はこの変位量と同じ長さだけメモリーカード５０に対してカードコネクタ１の前端側に「ずれ」を起こすため、図９（イ）に示されるように、右側の爪部１０ｄはメモリーカード５０の係止凹部５２ｂから抜け出している。
【００８６】
次に、ユーザーがメモリーカード５０に対して二度目の押し込み操作を行うと、図９（ロ）及び図１１に示すように、左側のスライダ１１のフックピン１３の倣い軸１３ｂがロック凹部Ｓ２を抜け出して第２死点Ｓ３に達し、二度目の押し込み力を緩めると、倣い軸１３ｂは第２死点Ｓ３からイジェクトレーン２１ｅに進入し、最終的に待機レーン２１ａに戻り、これと殆ど同時に、右側のスライダ１０のフックピン１３の倣い軸１３ｂは、挿入レーン２１ｂ上をそのまま待機レーン２１ａまで戻る。これに応じて、左右のスライダ１０，１１は各コイルバネ１５の付勢力によってイジェクト位置（初期位置）まで真っ直ぐに押出される。この右側のスライダ１０のイジェクト位置への復帰の最終過程で、右側の爪部１１ｄもメモリーカード５０の係止凹部５２ｂに再び係入するので、メモリーカード５０は左右のスライダ１０，１１の爪部１０ｄ，１１ｄによって左右均等に係止された状態で、ユーザーが指で取り出し可能な排出状態まで排出され、図８の状態に戻る。
【００８７】
〔一対のコンタクト部による記録媒体の固定支持〕
以上説明してきたように、本願に係る記録媒体用コネクタ１にあっては、記録媒体５０の表向き挿入及び裏向き挿入の両挿入状態に対応できる。
この動作を実現するために一対のコンタクト部４，５が設けられているのであるが、これらコンタクト部４，５の形状及びその構成材料、さらには、それらの配置構成に起因して、本願に係る記録媒体用コネクタ１は、記録媒体５０に対する良好な固定支持を実現できる。以下、この構造に関して説明する。
【００８８】
これまで説明してきた第１、第２コンタクト部４，５は、共にバネ用りん青銅等といった導電性弾性材料から構成されており、図１２に示すように、第１コンタクト部４が記録媒体の端子５１に当接する第１当接部４ｅを、前記第２コンタクト部５が記録媒体の端子５１に当接する第２当接部５ｅを備えるとともに、第１当接部４ｅと第２当接部５ｅとが、記録媒体５０が挿入されていないフリー状態で、ハウジング１aの厚み方向中心Ｃに対して振り分け配置されている。
【００８９】
そして、一方の当接部４ｅ（５ｅ）が記録媒体５０の端子５１に当接する姿勢において、当該当接部４ｅ（５ｅ）が受ける変形量（図１２におけるa）が、他方の当接部位５ｅ（４ｅ）が記録媒体５０の本体表面１ａｂに当接して受ける変形量(図１２におけるＡ：実際は、図１３（イ）に示すように記録媒体５０の幅方向への移動が僅かに起こるためＡよりはわずかに少ないが、実質的にＡに等しい)より小さく設定されている。
【００９０】
結果、記録媒体５０が記録媒体用コネクタ１に挿入された姿勢において、導電性弾性材料からなる第１コンタクト部４及び第２コンタクト部５が共に変形を受け、両コンタクト部４，５が共にハウジング１ａの厚み方向中心に向かう方向の弾性反力を発生する。この状態を図１３（イ）に示した。
即ち、この状態では、記録媒体５０と、一方のコンタクト部４（５）との間における電気的接続が確立された姿勢において、他方のコンタクト部５（４）が、記録媒体５０をハウジング１ａ側に付勢するとともに挟持して固定支持する。
【００９１】
弾性反力は、その変形量に依存することとなるが、上述のように、電気的接続がなされていない他方の当接部５ｅ（４ｅ）側に発生する反力が、電気的接続が確立されている他方の当接部４ｅ（５ｅ）側に発生する反力より勝る。結果、記録媒体５０を強固に一方の電気的接続が確立されている当接部４ｅ（５ｅ）が属するコンタクト部４（５）側に付勢することとなり、記録媒体５０とハウジング１ａとの間における固定支持を確立することができる。よって、記録媒体５０の挿入状態で（電気的接続が確立されている一方の当接部４ｅ（５ｅ）が属するコンタクト部４（５）側の接点圧が大きくなるため）耐振動性、耐衝撃性を確保することができる。
【００９２】
〔ケースとボディの構成〕
図２に示すように、ケース３は、概して板状のケース本体３ａと、ケース本体３ａの側面から直角に下方に延びたケース側部３ｂとからなり、ケース本体３ａの後端の左右端部付近には、一対の嵌合爪３ｃが下方に突出するように形成されている。
【００９３】
また、ケース側部３ｂには複数の矩形の貫通孔３ｆが形成されており、ケース側部３ｂの前端の左右端部付近からは、細板状の係止突起３ｅがケース３の下に向かって垂直に延びている。この位置はグランド用の端子の設置位置に対応している。
【００９４】
ボディ２の後端の左右端部には、ケース３の嵌合爪３ｃを受け入れるための突起２Ｂ、前述のバネ支持部７ａ，７ｂが形成されている（図４，５参照）。
【００９５】
また、ボディ２の前端の左右端部付近には、グランド用の端子６０を装置する端子係止部２Ｃが設けられている。また、ボディ２の両側面には、ケース３の貫通孔３ｆ内に嵌まり込む複数の突起２Ｅが形成されている。
【００９６】
さらに、図２、４、５に示すように、ボディ２の後端側には、各ノーマルコンタクト４ａを係止する１１個のコンタクト係止部２Ｆ、各リバースコンタクト５ａを係止する１１個の係止部２Ｇが形成されている。又、前述のボディ２の裏面には、拡開型検出部材３０を挿入するための挿入孔２Ｘ、拡開型検出部材３０の一方の端部３０ｂが嵌まり込む係止部２Ｙ、接触片部材３１が嵌まり込む係止部２Ｚが設けられている。
【００９７】
３−５  組立ての手順
カードコネクタ１の組立ては、例えば次のような方法で実施することができる。
先ず、１１個のノーマルコンタクト４ａをボディ２の各コンタクト係止部２Ｆに、そして、１１個のリバースコンタクト５ａを同じくボディ２の各コンタクト係止部２Ｇにそれぞれボディ２に押し嵌めする。
さらに、この時、前述の拡開型検出部材３０と、これに対応する接触片部材３１をボディ２に装着し、同時に、グランド用の端子６０も装着する。
【００９８】
次に、各スライダ１０，１１をボディ２の左右のスライド溝２ａに装着し、引き続き、フックピン１３をボディ２とスライダ１０，１１との間に装着する。これには、フックピン１３の一端１３ａがボディ２の各スライド溝２ａの前端に枢支連結され、フックピン１３の他端１３ｂがスライダ１０，１１のハートカム１０ｅ，１１ｅの待機レーン２１ａに位置するように装着すれば良い。
この時、各コイルバネ１５を、ボディ２のスライド溝２ａ内に挿入しておき、コイルバネ１５の一端がスライダ１０，１１の端面１０ｆ，１１ｆの前記孔内に挿通する様にする。
【００９９】
次にケース３をボディ２に固定するが、これは次のような方法で実施される。先ず、ケース３の係止突起３ｅがグランド用端子６０に被さるように、ケース３をボディ２の上に被せる。次に、ケース本体３ａをボディ２の上面に押付けると、ケース３の係止突起３ｅがボディ２に備えられたグランド用端子６０と係止され、同時に、ケース３の嵌合爪３ｃがボディ２の突起２Ｂに嵌まり込み、ケース３のボディ２に対する固定が完了する。
【０１００】
この固定が完了すると、ケース３の左右のバネ板部３ｇがフックピン１３の前記他端付近を下向きに弾性的に押さえ付け、その結果、フックピン１３の倣い軸１３ｂは、ハートカム１０ｅ，１１ｅの待機レーン２１ａに押付けられる。
【０１０１】
〔別実施の形態〕
上記の実施の形態にあっては、記録媒体の挿入・排出操作に伴う媒体の挿入状態の検出に本願に係る検出構造を採用する例を示したが、両持ち梁として構成され、その中央側に記録媒体の当接する位置を設けるものとしたが、当接位置を、記録媒体に付属しているライトプロテクトスイッチ等の位置とすることで、例えばライトプロテクトスイッチのＯＮ−ＯＦＦ検出機構としても構成できる。
【０１０２】
また、上記の実施の形態にあっては、記録媒体の挿入・排出が、プッシュ−プッシュ（第一の押し込み動作―第二の押し込み動作）に伴って起こるものとしたが、この種の動作の代わりに、イジェクト動作、レバーイジェクト動作、手動イジェクト動作等に対応して、記録媒体の挿入・排出を行う記録媒体用コネクタ等、メディアの挿抜き行うことにより使用することができる全ての記録媒体用コネクタを含む電子機器に、本願構成が採用できる。
【０１０３】
さらに、上記の実施の形態にあっては、記録媒体を表・裏、どの姿勢で挿入しても、コンタクトを確立できる構成のものに本願構造を採用することとしたが、本来の姿勢である表姿勢の挿入操作のみにおいて、記録媒体の挿入・挿入状態からの排出が可能な記録媒体用コネクタにも、本願構造は当然に採用できる。
【０１０４】
さらに、上記の実施の形態では、記録媒体の挿入検知を目的として、比較的広い範囲で、接触片部材と拡開型検出部材の幅方向の端部側部位との接触（導通）が確保される例を示したが、厳密な意味で、ロック状態のみを識別検知したい場合は、接触位置を調整することで、この目的を達成することができる。
【０１０５】
即ち、記録媒体の挿入状態を検出する方法として、上記したように、記録媒体が記録媒体用コネクタ内において位置固定されるロック状態が設定されており、このロック状態以外の位置で、位置固定が解除された非ロック状態とされる構成の場合において、接触片部材と拡開型検出部材との導通が確保された場合に記録媒体が前記ロック状態にあり、導通状態にない場合に記録媒体が非ロック状態にあると判断する構成とするのである。
【０１０６】
具体的には、ロック状態が実現される接触片部材と拡開型検出部材との位置関係においてのみ導通が確保され、それ以外の位置関係の場合は、非導通状態となるように、接触片部材を比較的幅方向で短い部材とする。
このようにすることで、ロック状態、非ロック状態の検出を確実に行える。
【図面の簡単な説明】
【０１０７】
【図１】記録媒体用コネクタとメモリーカードを示す斜視図
【図２】記録媒体用コネクタの分解斜視図
【図３】記録媒体用コネクタのボディに取り付けられた状態の各部品を示す斜視図
【図４】各部品を取り付ける前のボディを斜め後方から見た斜視図
【図５】バネ支持部近傍の斜視図
【図６】メモリーカード（表向き）が初期位置（イジェクト位置）にある時の平面図
【図７】メモリーカード（表向き）に押し込み操作を加えた時の作用を示す平面図
【図８】メモリーカード（裏向き）が初期位置（イジェクト位置）にある時の平面図
【図９】メモリーカード（裏向き）に押し込み操作を加えた時の作用を示す平面図
【図１０】メモリーカードに押し込み操作を加えている時の状態を示す正面図
【図１１】ハートカムの作用を示す平面図
【図１２】一対のコンタクト部の厚み方向における位置関係を示す図
【図１３】一対のコンタクト部を備えた本願に係る記録媒体用コネクタの固定支持状態と単一のコンタクト部を備えた記録媒体用コネクタの固定支持状態を示す図
【符号の説明】
【０１０８】
１  記録媒体用コネクタ（記録媒体用コネクタ）
１ａ  ハウジング
４  第１コンタクト部
４ｅ当接部
５  第２コンタクト部
５ｅ当接部
１０，１１  スライダ
１０ｂ，１１ｂ  接当部
１０ｄ，１１ｄ  爪部
１０ｅ，１１ｅ  ハートカム（ロック／排出機構）
Ｓ２  ロック凹部（ロック機構）
１３  フックピン（ロック／排出機構、ロック機構）
１５  コイルバネ（ロック／排出機構、付勢手段）
３０  拡開型検出部材
３０ａ中央側部位
３０ｂ端部側部位
３０ｃ嵌入部
３１  接触片部材
５０  メモリーカード（記録媒体）
５１  端子
５２ａ，５２ｂ  係止凹部（被係止部）
５３ａ，５３ｂ  被接当部
Ｇ    案内部
【図１】
2006024543.tif 000003
【図２】
2006024543.tif 000004
【図３】
2006024543.tif 000005
【図４】
2006024543.tif 000006
【図５】
2006024543.tif 000007
【図６】
2006024543.tif 000008
【図７】
2006024543.tif 000009
【図８】
2006024543.tif 000010
【図９】
2006024543.tif 000011
【図１０】
2006024543.tif 000012
【図１１】
2006024543.tif 000013
【図１２】
2006024543.tif 000014
【図１３】
2006024543.tif 000015